Podtech/llm-jp-corpus-v4-ja_patent huggingface dataset:
(57)【要約】【課題】従来ロ−タリ−耕耘機で耕耘する場合に手裏剣状の刃が一般的で、土に刃を突き刺して回転力で掘り起こしていた。【解決手段】本発明の耕耘刃は、ロ−タリ−耕耘機の軸の回転方向に対して刃の半径が増加しながら螺旋状に回転し、回転力で苺などの硬い残根を薄く切断しながら耕耘することができる。【選択図】　　　　図１
2004016124.tif 000002
【特許請求の範囲】
【請求項１】
ロ−タリ−耕耘機の耕耘刃が、回転方向に半径が増加しながら螺旋状に回転することを特徴とする耕耘刃。
【発明の詳細な説明】
【０００１】
【発明の属する技術分野】
本発明はロ−タリ−耕耘機の回転刃に関するものである。
【０００２】
【従来の技術】
ロ−タリ−耕耘機の耕耘刃は手裏剣状のものが主流である。
【０００３】
【発明が解決しようとする課題】
しかし、手裏剣状の耕耘刃は土壌を強引に掘り起こすことは可能であるが硬い根を切断することはできない。
【０００４】
よって本発明は硬い根を薄く切断する事を目的とするものである。
【０００５】
【課題を解決するための手段】
耕耘刃を回転方向に半径が増加しながら螺旋状に回転するように形成する。
【０００６】
【発明の実施の形態】
以下、図面を参照して本発明の実施形態を詳細に説明する。
【０００７】
図１は本発明の耕耘刃の構成を示す。本発明の耕耘刃は半径を増加させながら螺旋状に回転させることで螺旋のピッチ分の幅で切断する。
【０００８】
【発明の効果】
この方法により、苺などの硬い根を掘り起こして撤去することなく、薄く切断しながら耕耘して、そのまま土壌の中に放置することにより腐敗して肥料として役立てることができる。
【０００９】
【図面の簡単な説明】
【図１】本発明の斜視図である。
【図２】本発明を真横から見た図である。
【符号の説明】
ａ　耕耘刃
ｂ　回転方向
ｃ　回転軸
ｒ　回転方向に対して増加していく半径
【図１】
2004016124.tif 000003
【図２】
2004016124.tif 000004
(57)【要約】【課題】栄養価が高くてしかも美味しいご飯を簡単に炊くことができる炊飯混合米の製造方法を得る。【解決手段】発芽によってγアミノ酪酸及び必須アミノ酸を同時に多量に生成させた発芽米を、焙煎によって香味と食味を向上させると共に、炊飯に適した物性に加工する工程と、精白米と同一条件では煮え難い大豆を、加圧加熱減圧の物理的焙煎法によって炊飯に適した物性に加工する工程とを含み、前記加工処理した発芽玄米と前記加工処理した大豆とを、それぞれ所要量ずつ精白米に混合する工程を具備する。【選択図】　　なし【特許請求の範囲】
【請求項１】
発芽玄米を、焙煎加工する工程と、
大豆を、加圧加熱減圧の物理的焙煎法によって焙煎加工する工程と
を含み、
前記焙煎加工した発芽玄米と前記焙煎加工した大豆とを、それぞれ所要量ずつ精白米に混合する工程を
具備することを特徴とする栄養価の高い炊飯混合米の製造法。
【発明の詳細な説明】
【０００１】
【発明の属する技術分野】
本発明は、機能性を高めた焙煎発芽玄米と、良質の蛋白質を多く含んだ焙煎大豆とを精白米に混合して栄養価を高め、簡単に美味しくご飯が炊ける炊飯混合米の製造法に関するものである。
【０００２】
【従来の技術】
従来から製造されている炊飯混合米は、精白米に麦や雑穀類を単純に混ぜ合わせる製法で造られている。
【０００３】
【発明が解決しようとする課題】
上記従来の炊飯混合米には、栄養価及び機能性を高めるための加工は施されていない。従って健康的な食品として使用する場合、栄養価及び機能性に不足する成分が多いという問題がある。
【０００４】
従来からの一般的な家庭の炊飯器で、加工していない大豆や玄米を精白米に混ぜてご飯を炊いた場合、短時間ではよく煮えない。
また、高圧釜など特殊な炊飯器を使用して炊いても、物性がそれぞれ異なるので炊飯技術が難しく、食味の点でも劣るという問題もある。
【０００５】
本発明は、以上の点に鑑み創案されたものであり、栄養価を高め、簡単に美味しくご飯が炊ける炊飯混合米の製造法を提供することを目的とするものである。
【０００６】
【課題を解決するための手段】
上記目的を達成するために、本発明の栄養価の高い炊飯混合米の製造法は、発芽玄米を、焙煎加工する工程と、大豆を、加圧加熱減圧の物理的焙煎法によって焙煎加工する工程とを含み、前記焙煎加工した発芽玄米と前記焙煎加工した大豆とを、それぞれ所要量ずつ精白米に混合する工程を具備する。
【０００７】
発芽玄米は、玄米を発芽させることにより、γアミノ酪酸及び必須アミノ酸を多量に含有するものであり、この発芽玄米を焙煎加工することによって香味と食味を向上させると共に、炊飯に適した物性を持つようになる。
【０００８】
大豆は、生のままでは精白米と同一条件では煮え難いが、加圧加熱減圧の物理的焙煎法によって炊飯に適した物性を持つようになる。
【０００９】
なお、精白米に対して混合する発芽玄米と大豆の量については、食する人の好みによっても変わるが、栄養価及び食味の点から例えば精白米２００ｇに対し、発芽玄米２７ｇ、大豆２７ｇ位の量が好ましいものである。
【００１０】
【発明の実施の形態】
以下本発明の実施の形態を説明し、本発明の理解に供する。
【００１１】
本発明の実施の形態では、籾を流水に浸漬して異臭が付かないように発芽させ、必須アミノ酸の最大生成値点で発芽を止めて乾燥し、脱穀して発芽玄米を生産する。そしてその発芽玄米を、焙煎釜で膨張加工する。
【００１２】
また、本発明の実施の形態では、大豆を焙煎釜で加圧、加熱、減圧の物理的な方法で加工をする。
【００１３】
上記のように加工した発芽玄米と加工した大豆を、精白米に対してそれぞれ所要量混合する。
【００１４】
【実施例】
以下本発明の実施例を示す。
【００１５】
籾を流水に浸漬し、微生物による異臭の発生を防ぎながら発芽させる。光と水温によって発芽速度は異なるが、大体２０〜２５℃の水温で５〜７日かけて目標に達する。必須アミノ酸の生成量は、芽の長さが４〜６ｍｍに伸びた時点が最大値になるので、ここで水切り乾燥して脱穀し発芽玄米となす。
【００１６】
上記発芽玄米を、直火式の回転釜で２８０〜３５０℃の温度で、３０〜６０秒の加熱焙煎を行って米粒を膨張させ、炊飯調整に適した焙煎発芽玄米とする。
【００１７】
生の大豆を、直火式の回転釜に入れて密封し、回転させながら加熱すると次第に圧力が上がる。５〜８気圧になったら火を止め減圧する。減圧の速度は５〜３０秒で常圧に戻る程度に調整する。
技術的な加工の条件は、加工釜の容量と圧力の高さと減圧の速度によって変化するので、炊飯調理に適した物性の品質を中心に条件を設定する。
【００１８】
上記発芽玄米と大豆とを、それぞれ所要量ずつ精白米に混合し、使用目的に応じた量を、酸化防止と防湿のため気密性のある容器に入れ、脱酸素剤を入れて密封し製品を完成する。
【００１９】
本発明の実施の形態によれば、発芽玄米を焙煎釜で膨張加工するので、炊飯に適した物性になり、また食味と香味に優れた発芽玄米となる。
また大豆を、焙煎釜で加圧、加熱、減圧の物理的な方法で焙煎するので、大豆の組織を柔らかくすると同時に、大豆特有の臭いを除去することができる。
【００２０】
【発明の効果】
以上述べてきた如く、本発明によれば、精白米にγアミノ酪酸及び必須アミノ酸を多量に含む発芽玄米と、良質の蛋白質を多く含む大豆を混合しているので栄養価が高いという効果を奏するものである。
【００２１】
また本発明によれば、発芽玄米を焙煎によって香味と食味を向上させると共に、炊飯に適した物性に加工しており、更に精白米と同一条件では煮え難い大豆を、加圧加熱減圧の物理的焙煎法によって炊飯に適した物性に加工しているので、炊飯が容易に行なえ、炊き上がったご飯が美味しいという効果もある。
(57)【要約】【課題】植物の生命を維持する上で水分の補給が不可欠であるが潅水後の余分の水分は底穴もしくは横穴より漏れ、受け皿などを利用してカバーしていたため、装飾性において高い演出ができにくかった。【解決手段】培養鉢の底穴また横穴などがなく、よって水が外に一切出ないため居間のテーブルの上などハレの場所へ直接設置することが可能となり、高い装飾性の演出を実現することが出来る。【選択図】　　　図１
2004016159.tif 000002
【特許請求の範囲】
【請求項１】
植物培養鉢の底穴・横穴などの水抜き穴が一切ない培養鉢。
【請求項２】
培養鉢の内部には保水の機能を持つ「物」を詰めることによって植物の根腐れ防止を図る。
【発明の詳細な説明】
【０００１】
【発明の属する技術分野】
本発明は、植物の培養ににおける培養鉢の製造形状に関する。
【０００２】
【従来の技術】
培養鉢への灌水後余分な水分は底穴もしくは横穴の水抜き穴を通って、鉢の外に出すため受け皿などの余分なものを必要としていた。
【０００３】
【発明が解決しようとする課題】
従来の培養鉢においては、灌水後の余分な水分が鉢外へ出てくるため、居間のテーブルなどへの直接設置の演出ができづらく装飾性において効果的な演出ができにくいと言う問題点があった。
【０００４】
【実施例】
本発明の実施の形態の図面（図１）を示して説明します。
本発明は、培養鉢の水抜き穴を一切不要とし、かつ鉢の内部には保水材を入れることよって植物の根が水中に浸かったままとならず根腐れを防止できる創作培養鉢の製造を目的としている。
【０００５】
【発明の効果】
本発明は、以上説明したとおり構成されており、以下に記載されるような効果を奏する。
この培養鉢の創作実現により装飾演出での利用範囲が格段に広がりあらゆる場面への癒しのツールまた、装飾グリーンとしの演出が可能となる。
【図面の簡単な説明】
【図１】本発明の縦断面図である。
【符号の説明】
１　培養鉢
２　保水材
３　培養土
【図１】
2004016159.tif 000003
(57)【要約】【課題】コエンザイムＱ１０含有飲料を得る。特に、熱安定性又は長期保存性を向上させたコエンザイムＱ１０含有飲料を得る。【解決手段】コエンザイムＱ１０乳化液を０．３〜２０％含有したもの。【選択図】　　　なし【特許請求の範囲】
【請求項１】
コエンザイムＱ１０乳化液を０．３〜２０％含有したことを特徴とするコエンザイムＱ１０含有飲料。
【請求項２】
１種以上の糖アルコールを更に含むことを特徴とする請求項１に記載のコエンザイムＱ１０含有飲料。
【請求項３】
１種以上の有機酸を更に含むことを特徴とする請求項１又は請求項２に記載のコエンザイムＱ１０含有飲料。
【発明の詳細な説明】
【０００１】
【発明の属する技術分野】
本発明は、ユビキノンとしても知られているコエンザイムＱ１０を含有する飲料に関するものである。
【０００２】
【従来の技術】
コエンザイムＱ１０は、ユビキノンとしても知られており、ヒトの体内でも合成される補酵素の１種である。多量のコエンザイムＱ１０が必要なのは、最もエネルギーを必要とする心臓であり、その心臓を始めとして、肝臓、腎臓に多く含まれている物質である。
【０００３】
また、心臓の働きをよくすることはもとより、免疫細胞や白血球の作用を高めること、抗酸化作用があり、ビタミンＥに似た働きを持つので、ビタミン様物質（ビタミンＱ）としても位置づけられていることが知られている。
【０００４】
更に、コエンザイムＱ１０は、加齢により体内合成量が減少するが、食事でとれる量は１日当たり数ｍｇと多くなく、現在では心臓疾患、老化防止、動脈硬化、糖尿病、高血圧・低血圧などに効果が期待できる栄養補助食品（サプリメント）として市販されてもいる。
【０００５】
【発明が解決しようとする課題】
しかしながら、コエンザイムＱ１０は脂溶性であり、水には殆ど溶けないため、飲料とすることは困難であった。そのため、コエンザイムＱ１０を含む栄養補助食品の殆どは固形物、即ち、カプセル剤、軟カプセル剤、錠剤等である。
【０００６】
本発明は、コエンザイムＱ１０含有飲料を得ること、特に、熱安定性又は長期保存性を向上させたコエンザイムＱ１０含有飲料を得ることを目的とする。
【０００７】
【課題を解決するための手段】
請求項１に記載された発明に係るコエンザイムＱ１０含有飲料は、コエンザイムＱ１０乳化液を０．３〜２０％含有したものである。
【０００８】
請求項２に記載された発明に係るコエンザイムＱ１０含有飲料は、請求項１に記載の１種以上の糖アルコールを更に含むものである。
【０００９】
請求項３に記載された発明に係るコエンザイムＱ１０含有飲料は、請求項１又は２に記載の飲料に１種以上の有機酸を更に含むものである。
【００１０】
【発明の実施の形態】
本発明は、コエンザイムＱ１０乳化液を使用したコエンサイムＱ１０含有飲料である。これにより、安定なコエンザイムＱ１０含有飲料を得ることができる。
【００１１】
コエンザイムＱ１０は油脂に溶解するが、油脂に溶解した状態では油脂自体が飲料として摂取困難であり、また溶解した油脂と水と混ぜ合わせても分離してしまうため飲料として成り立たない。しかし，コエンザイムＱ１０乳化液である「ＣＯＱ１０　５％乳化液−ＴＫ」（日清ファルマ株式会社製）を使用し，一定の割合で糖アルコール及び／又は有機酸を更に配合した場合に、製剤化が容易でかつ摂取しやすく，更に水溶液の状態でも安定な製剤を得ることができる。
【００１２】
コエンザイムＱ１０の有効投与量は健康成人で１日５ｍｇ以上であり、好ましくは２０ｍｇ以上である。コエンサイムＱ１０を５ｍｇ以下摂取した場合、コエンザイムＱ１０の効果はほとんと見られず、３００ｍｇ以上摂取する場合、飲料の形とした時、それに比例し乳化液の割合が高く飲みにくいもしくは全体量が多い飲料となる。
【００１３】
本発明における糖アルコールとは、天然にもあるいは発酵食品にも存在するもので，工業的には糖を水素添加により還元してあるいは醗酵法により製造する。糖と異なり代謝にインシュリンを必要としないものであり、一般に矯味矯臭剤として使用されている。例としてソルビトール、キシリトール、マンニトール、マルチール、ラクチトール、エリスリトールなとが挙げられる。これらのうち少なくとも１種以上を，糖アルコール１種当たりコエンザイムＱ１０乳化液の１０倍量を限度として加えることによって，コエンサイムＱ１０含有飲料の安定化剤として作用することがわかった。
【００１４】
本発明における有機酸とは、一般に酸味剤またはｐＨ調整剤として使用されているものであり、例としてクエン酸（無水、結品）、ＤＬ−リンゴ酸、酒行酸（Ｌ−，ＤＬ−）、フマル酸、グルコン酸、乳酸、コハク酸など、またこれらのナトリウム塩などが挙げられる。これらのうち少なくとも１種以上を、有機酸１種当たりコエンザイムＱ１０乳化液の５倍量を限度として加えることによって、コエンサイムＱ１０含有飲料の安定化剤として作用することがわかった。
【００１５】
これらの安定化は糖アルコールや有機酸を加えることにより，粘度，ｐＨあるいはイオン強度などが，コエンザイムＱ１０乳化液を希釈して得られた乳化系の安定に必要な状況を作り出しているからであると推察される。
【００１６】
また，本飲料には植物抽出物などの生薬，白糖やハチミツなとの甘味料，エチルアルコールなどの溶解剤，保存料，香料などを含んでもよい。
【００１７】
更に、本飲料にはコエンザイムＱ１０以外の薬効成分を含んでもよい。例えば、生薬としては動植物の薬用成分を含んでもよい。含有する生薬の薬用成分としては、例えば薬用部位、細胞内容物、分泌物、抽出物又は鉱物などが挙げられ、また原料の形としても粉末、チンキ、乾燥エキス、軟エキス等が挙げられる。含有する生薬としては食品として認められている植物の植物抽出物が好ましい。植物抽出物とは植物（葉、果実、皮、根等）に含まれる成分を水またはアルコール等の食品に用いられる有機、溶媒または水とこれら有機溶媒との混合液によって抽出したもので、溜縮してある場合もある。形態としては液状、ペースト状、粉状などがある。
【００１８】
具体的には、オタネニンジン、トチュウ、オウギ、オウゴン、オウセイ、ウコギ、エキナケア、エストラゴン、エゾウコギ、オウレン、ガジュツ、キムネマ、サイシン、サンシシ、サンシチニンジン、サンシュユ、ムイラブアマ、リュウガン、レイシ＜霊芝＞などの植物抽出物が挙げられる。
【００１９】
【実施例】
実施例１．コエンザイム乳化液の耐熱安定性
表１の処方でコエンザイムＱ１０含有飲料を作製し，９０℃の水浴中で１時間加熱した。加熱前後の性状とコエンザイムＱ１０含量の変化を表２に示した。
【００２０】
【表１】
2004016011.tif 000002
【００２１】
【表２】
2004016011.tif 000003
【００２２】
表２のように，熱に対して安定であることがわかる。
【００２３】
実施例２．コエンザイム乳化液の長期保存性
表１の処方でコエンザイムＱ１０含有飲料を作製し，４０℃で３ヵ月まで保存し性状とコエンザイムＱ１０含量の変化を表３に示した。
【００２４】
【表３】
2004016011.tif 000004
【００２５】
表３のように，長則間の保存に対しても安定であることがわかる。
【００２６】
【発明の効果】
本発明は以上説明した通り、熱安定性又は長期保存性を向上させたコエンザイムＱ１０含有飲料を得ることができるという効果がある。
(57)【要約】　　　（修正有）【課題】大豆および小豆加工食品すなわち，饅頭、加工パンに用いる餡の食味を改善する。【解決手段】大豆及び小豆の加工食品すなわち，饅頭や加工パンに用いる餡を加工する際に、少量の大豆発酵食品テンペを混入する。【効果】大豆発酵食品テンペを混入することにより、元の素材の味が更に美味になり、且つ油の分解作用により、健康的な食品を得ることができる。【選択図】なし【特許請求の範囲】
【請求項１】
大豆発酵食品テンペはそれ自体の拮抗作用により他の食品の味を美味にし、油分の分解作用があるが、これを大豆及び小豆加工食品例えば饅頭や加工パンの餡に適量加えることにより元の素材の持つ味以上の物を作ることが出来また油分を分解することの作用により健康的な食品となる。
【発明の詳細な説明】
【０００１】
【産業上の利用分野】
この発明は大豆醗酵食品テンペを大豆及び小豆加工食品に加えることにより元の素材以上の味を引き出すことにある。
【０００２】
【従来の技術】
従来大豆発酵食品テンペを加えた大豆及び小豆加工食品は市場に存在しない。
【０００３】
【発明が解決しようとする課題】
この発明の目的は従来単なる大豆及び小豆加工食品に大豆発酵食品テンペを加えることにより従来以上の美味に加工することにある。
【０００４】
【課題を解決するための手段】
この発明を達成するためには大豆発酵食品テンペを大豆及び小豆加工食品例えば饅頭や加工パンの餡に適量加えることによりテンペを加えなかったものに比べ美味に加工できる。
【発明の効果】
以上の説明のようにこの発明によれば大豆発酵食品テンペを大豆及び小豆加工食品に加えることによりテンペを加えなかったものに比べ簡単に美味、且つ油の分解作用により健康的な食品を生成することが可能になる。
(57)【要約】【目的】本発明は、蚊を生きたまま追い払う装置を提供する。【構成】本発明の蚊の追い払い装置は、蚊の声を検知する検知器１０と、その検知器１０からの「蚊を検知した信号」に基づいて、風を送る送風機２０を備えている。【選択図】　　　　　図１
2004016219.tif 000002
【特許請求の範囲】
【請求項１】
蚊の声を検知する検知器と、その検知器からの「蚊を検知した信号」に基づいて、風を送る送風機を備えることを特徴とする蚊の追い払い装置。
【請求項２】
蚊の声を検知する検知器と、その検知器からの「蚊を検知した信号」に基づいて、蚊が嫌う音声を発生する音発生器を備えることを特徴とする蚊の追い払い装置。
【発明の詳細な説明】
【０００１】
【発明の属する技術分野】
本発明は、蚊を生きたまま追い払いする装置である。
【０００２】
【従来の技術】
夏になると、蚊が発生し、伝染病の搬送媒体としての蚊を追い払いすることが望まれている。この蚊を追い払う方法には、古くから、香取線香（除虫菊）等が使用されている。
【０００３】
【発明が解決しようとする課題】
しかし、従来の香取線香（除虫菊）等を使用する蚊の追い払い方法は、特に、赤子に対しては健康上問題がある。
そこで、新たに、蚊を生きたまま追い払う装置を提供するものである。
【０００４】
【課題を解決するための手段】
請求項１の蚊の追い払い装置は、蚊の声を検知する検知器と、その検知器からの「蚊を検知した信号」に基づいて、風を送る送風機を備えている。そのため、検知器で蚊の音（存在）を検出すると、送風機が回転して、蚊を生きた状態で追い払う。
【０００５】
又、請求項２の蚊の追い払い装置は、蚊の声を検知する検知器と、その検知器からの「蚊を検知した信号」に基づいて、蚊が嫌う音声を発生する音発生器を備えている。そのため、検知器で蚊の音（存在）を検出すると、送風機が回転して、蚊を生きた状態で追いやる。
【０００６】
【発明の実施の形態】
本発明の一実施の形態を図１を参照して説明する。
１０は、音声マイクとその音声マイクで集音した音を分析する機器を備えている検出器である。この検出器１０に備えてある音声マイクは、「蚊」の他に、種々の音を集音し、この集音された音は、周波数分析にかけられ、予め既知の「蚊の音の周波数」と一致するか否かを判定する。
【０００７】
そして、ほぼ一致したときには、「蚊」は、集音マイクの前方で、予め既知の広がり角度の範囲内に存在していると推定できる。
そこで、係る状態のときには、送風機２０を回転して風を送ると、蚊は、この風によって、その居場所を変える。
【０００８】
次に、本発明について、具体的な適用について説明すると、例えば、赤子３０が寝ている室に、検出器１０と送風機２０を配置する。尚、検出器１０は赤子３０の顔当たりをサーチ可能な位置に設置すると共に、送風機２０も赤子３０の顔の上を風が通り、蚊を追い払い可能に設置する。
【０００９】
そして、検出器１０によって「蚊」の音を検出すると、送風機２０が回転し風を送るので、赤子３０の顔に近付く「蚊」を、生きたまま追い払うことができる。
尚、前記送風機２０は、検出器１０で「蚊」を検出している間だけ回転するように制御してもよいし、一度、送風機２０が回転し始めたら、タイマに予め設定の時間の間だけ回転可能に制御してもよい。
このタイマの設定によって、特に、弱い赤子３０に対し、適宜の時間だけ風が当たる状態であるので、健康を害することがない。
【００１０】
又、前記送風機２０に替えて、「蚊が嫌がる音波」を発生する音発生器（図示略）によって、「蚊」を追い払うようにしてもよい。尚、本願発明の蚊の追い払い装置は、赤子の他に、大人や動物を飼っている部屋に適用できる。
【００１１】
【発明の効果】
本発明は、送風機の回転（風）によって「蚊」を追い払うことによって、「蚊」を生きたまま追い払うことが可能であるし、適宜の時間だけ風を送るので、赤子等に対し健康を害することがない。
【図面の簡単な説明】
【図１】蚊の追い払い装置を示す全体図である。
【符号の説明】
１０　検出器
２０　送風機
３０　赤子
【図１】
2004016219.tif 000003
(57)【要約】【課題】ペットの糞を素早く簡単に始末して処分するのを容易にし、ペットの糞の始末に対する嫌悪感を軽減する。【解決手段】開閉を容易にするための取っ手（２）を付けた引き出し箱（１）で糞を包み、それを受ける溝（４）を付けた収納箱（３）に動かし、糞の始末をする。紙製の箱にすることで使い捨てが出来るようにする。【選択図】　図１
2004016211.tif 000002
【特許請求の範囲】
【請求項１】
引き出し箱（１）に取っ手（２）を、収納箱（３）に溝（４）をつけることで、開閉を容易にした引き出し型の箱。
【請求項２】
請求項１を紙製にすることで、始末した糞ごと使い捨てできるようにしたペットの糞（５）の始末機。
【発明の詳細な説明】
【０１】
【発明が解決しようとする課題】
これまでペットの、特に野外での糞の始末は飼い主に大きな嫌悪感を与え、しばしば始末をさせずに立ち去らせ、公園や道路などの環境の悪化を招いていた。従来の始末方法では、永続性を持つ道具を使った場合は始末後の道具の洗浄という難題が残り、使い捨てを意図した道具は、道具を洗浄するという問題は解決したが、糞の始末への嫌悪感が十分に軽減されない、また、扱いが難しいなど、糞の始末に潜在する嫌悪感、倦怠感を改善できないという問題点があった。
【０２】
【課題を解決するための手段】
本発明では、引き出し箱（１）に取っ手（２）を、収納箱（３）に溝（４）を付けることで開閉が容易な引き出し型の箱を作り、その中にペットの糞（５）を始末することで、上記課題を解決する。
【０３】
【発明の効果】
箱形なので、糞の形状、粘度、個数に関わらず、箱の容量以内であれば簡単な動作で容易に始末が出来き、始末後には外部から糞が見えることもなく、糞の臭気も押さえられるので、嫌悪感を軽減することが出来る。また、紙製なので始末した糞ごと使い捨てが出来る。
【図面の簡単な説明】
【図１】引き出し箱と収納箱、ペットの糞の関係を示した外観図である。
【図２】引き出し箱と収納箱により、ペットの糞を始末する実施例を示した横断面図である。
【図３】引き出し箱と収納箱により、ペットの糞を始末する実施例を示した縦断面図である。
【符号の説明】
１　引き出し箱
２　取っ手
３　収納箱
４　溝
５　ペットの糞
【図１】
2004016211.tif 000003
【図２】
2004016211.tif 000004
【図３】
2004016211.tif 000005
(57)【要約】【課題】家庭において、豆臭を無くし、呈味性が優れた、より健康に役立つ豆乳を加工する方法。【解決手段】プロテアーゼを利用し、保温容器中で熱水を利用して保温し、簡便に豆乳を処理することにより課題を解決した。【選択図】　なし【特許請求の範囲】
【請求項１】
プロテアーゼ製剤を働かせることを特徴とする豆乳の処理方法。
【請求項２】
請求項１のプロテアーゼ製剤が植物性プロテアーゼ、動物性プロテアーゼ又は微生物生産プロテアーゼより選ばれたプロテアーゼである請求項１記載の豆乳の処理方法。
【請求項３】
プロテアーゼ製剤を添加したパック入り豆乳を保温容器に入れ、保温容器内部と豆乳の間に豆乳の量の０．５〜１．２倍量の熱湯を注いで蓋をして、豆乳を４０℃〜７０℃に保つことを特徴とする請求項１及び２記載の豆乳の処理方法。
【発明の詳細な説明】
【０００１】
【発明の属する技術分野】
この発明は、豆乳を家庭で処理することにより、豆臭を改善し、呈味性に優れ、更に健康に役立つ豆乳を作る豆乳の処理方法に関するものである。
【０００２】
【従来の技術】
豆乳は健康に良い飲料として、以前は一部の愛飲家がその消費を支えていたが、近年は大豆イソフラボンの生理活性が注目され、徐々に一般に浸透し消費量も年々増加している。しかしながら、この豆乳には必然的に生の大豆からくる所謂豆臭さがあるため、豆乳の製造メーカーは豆臭を消すために香料を添加し、または豆乳そのものの含有率を調製し、且つ、風味を付ける工夫を凝らしている。
【０００３】
【発明が解決しようとする課題】
豆乳の豆臭さは万人が好む匂いではなく、豆乳の消費が牛乳並みの消費に近づけない一因となっている。従来の、豆乳の製造メーカーが豆臭を消すために行っている香料添加、風味付け等の豆乳の調製は臭気を除いていないため、豆乳の消費拡大につながっていなかった。更に、より一層の健康に役立つ豆乳を作ることができれば、愛飲者は増えると思われた。
【０００４】
【課題を解決する為の手段】
本発明者等は豆乳の消費拡大の防げになっている風味の改善を試み、鋭意研究を重ねた結果、豆乳にプロテアーゼを作用させることにより、非常にまろやかな呈味性を発現し、且つ、豆乳の有する豆臭を低減させることを発見した。また、プロテアーゼによって、蛋白質を分解することにより、消化しやすくなり、且つ有用なペプチド類が発現し、更に残存するプロテアーゼが直接体内で有用に作用することによって豆乳の効果を高める事が判明した。この方法を家庭で簡便に行うことにより、市販豆乳及び自家製豆乳を毎日美味しく摂取でき、健康に貢献すると共に、豆乳の消費拡大に貢献できる。
【０００５】
【発明の実施の形態】
豆乳の風味改善のため、プロテアーゼを作用させる方法として、プロテアーゼを主体とした製剤を豆乳に加えた後、豆乳を適温に保つことが必要である。その方法として、自動温度調整保温容器に豆乳容器を入れ保温することが考えられるが、家庭で自動温度調整保温容器を調達するには高価になりすぎて、当発明方法の普及には障害になる。安価で簡単に出来る方法が望まれ、発泡スチロール等の容器を保温容器とし、熱湯を熱源として容器と豆乳容量に最適な量を使用することにより、プロテアーゼの最適温度に調節保温が可能となり、本発明の良好な豆乳を得られることを見出した。本発明に利用できるプロテアーゼは植物性のパパイン、ブロメライン、クラヂン、アクチニジンなど、動物性プロテアーゼのトリプシン、ペプシン、アクロモペプチターゼ、レンネットなど、微生物生産プロテアーゼのアクロモペプチターゼ、放線菌プロテアーゼ、麹菌プロテアーゼ、カビプロテアーゼ、酵母プロテアーゼ、ヒイロタケプロテアーゼなどより選ばれる。
【０００６】
豆乳１Ｌ（２０℃）２本が入った発泡スチロール容器に熱湯（１００℃）２Ｌを注いで蓋をした時の発泡スチロール内部における熱湯と豆乳の温度変化を表１に示すように、プロテアーゼの最適温度に安定となり、微生物の繁殖をも防止できる。
【０００７】
【表１】
2004016215.tif 000002
【０００８】
以下、本発明の効果を実施例によって示す。
【０００９】
実施例１
豆乳１Ｌにパパイン０．３ｇ、粉末チーズ０．６ｇ、トレハロース０．１ｇを加えて良く振り混ぜ、これを発泡スチロール製保温容器（内寸で８０×１５５ｍｍ、深さ１５８ｍｍ）に縦に入れ、熱湯８００ｍＬを豆乳の周りから加え、蓋をする。これをそのまま３時間放置し、発泡スチロール容器から取り出し、直ちに飲用に供した。更にこの豆乳を冷蔵庫に保管し３〜４日目に飲用に供した。
【００１０】
比較対照として豆乳に何も加えないで同じ処理し、味の比較に供した。１０名に味の比較をして豆臭のない方及び美味しい方を選択してもらいその合計人数を表２に記した。
【００１１】
【表２】
2004016215.tif 000003
【００１２】
実施例２
豆乳１Ｌにブロメライン０．３ｇ、粉末チーズ０．６ｇ、トレハロース０．１ｇを加えて良く振り混ぜ、これを発泡スチロール製保温容器（内寸で８０×１５５ｍｍ、深さ１５８ｍｍ）に縦に入れ、熱湯８００ｍＬを豆乳の周りから加え、蓋をする。これをそのまま７時間放置し、発泡スチロール容器から取り出し、直ちに飲用に供した。更にこの豆乳を冷蔵庫に保管し３〜４日目に飲用に供した。
【００１３】
比較対照として豆乳に何も加えないで同じ処理し、味の比較に供した。１０名に味の比較をして美味しい方を選択してもらいその合計人数を表３に記した。
【００１４】
【表３】
2004016215.tif 000004
【００１５】
実施例３
豆乳１Ｌにレンネット０．３ｇ、粉末チーズ０．６ｇ、トレハロース０．１ｇを加えて良く振り混ぜ、これを発泡スチロール製保温容器（内寸で８０×１５５ｍｍ、深さ１５８ｍｍ）に縦に入れ、熱湯８００ｍＬを豆乳の周りから加え、蓋をする。これをそのまま３時間放置し、発泡スチロール容器から取り出し、直ちに飲用に供した。更にこの豆乳を冷蔵庫に保管し３〜４日目に飲用に供した。
【００１６】
比較対照として豆乳に何も加えないで同じ処理し、味の比較に供した。１０名に味の比較をして美味しい方を選択してもらいその合計人数を表４に記した。
【００１７】
【表４】
2004016215.tif 000005
【００１８】
実施例４
豆乳１Ｌに酵母プロテアーゼ０．３ｇ、粉末チーズ０．６ｇ、トレハロース０．１ｇを加えて良く振り混ぜ、これを発泡スチロール製保温容器（内寸で８０×１５５ｍｍ、深さ１５８ｍｍ）に縦に入れ、熱湯８００ｍＬを豆乳の周りから加え、蓋をする。これをそのまま７時間放置し、発泡スチロール容器から取り出し、直ちに飲用に供した。更にこの豆乳を冷蔵庫に保管し３〜４日目に飲用に供した。
【００１９】
比較対照として豆乳に何も加えないで同じ処理し、味の比較に供した。１０名に味の比較をして美味しい方を選択してもらいその合計人数を表５に記した。
【００２０】
【表５】
2004016215.tif 000006
【００２１】
【発明の効果】
プロテアーゼによって、蛋白質を分解することにより、消化しやすくなり、且つ有用なペプチド類が発現し、更に残存するプロテアーゼが直接体内で有用に作用することによって豆乳の効果を高める事ができる。この方法を家庭で簡便に行うことにより、市販豆乳及び自家製豆乳を毎日美味しく摂取でき、健康に貢献すると共に、豆乳の消費拡大に貢献できる。
(57)【要約】【課題】単純な構造でありながら、昼夜兼用に使用可能な首輪を提供すること。および、飼い主は、昼間の散歩時に好みに合った模様の首輪で散歩を楽しめ、夜間は、環状帯の発光により、周囲に注意を喚起しながらペットの安全を確保し得るペット用首輪を提供すること。【解決手段】発光を有する環状帯と、模様が付いた柄２を一体化に形成して、昼夜兼用に使用できる環状帯を特徴としたペット用首輪。【選択図】　図１
2004016221.tif 000002
【特許請求の範囲】
【請求項１】
環状の基材と、その表面に形成された透明発光層と、からなることを特徴とする発光環状帯。
【請求項２】
前記透明発光層が、自己発光することを特徴とする請求項１に記載の発光環状帯。
【請求項３】
前記基材の、前記透明発光層が形成された表面に、任意の模様が描かれていることを特徴とする請求項１または２に記載の発光環状帯。
【請求項４】
環状部の中途に係合部を有し、かつ、該係合部の係合を解除することで、帯状になることを特徴とする請求項１〜３のいずれか１に記載の発光環状帯。
【請求項５】
少なくとも、請求項１〜４のいずれか１に記載の発光環状帯を含むことを特徴とする首輪。
【発明の詳細な説明】
【０００１】
【発明の属する技術分野】
本発明は、各種分野、例えばペットの首輪やリストバンド等に活用可能な発光環状帯、およびそれを用いた首輪に関する。
【０００２】
【従来の技術】
従来、あらゆる分野において、その目的に応じた発光体が開発され、利用させている。その中でも、昼夜兼用に使用できるデザイン化された首輪は、その分野で要求されている。
近年、核家族化によりペットを飼う人が増えている。よって、ペットの種類やペット食品、また、ペット雑貨等に対する飼い主の消費も増大している。ペットの飼い主は自分の趣味やセンスで首輪や犬ひも、または、洋服を選び、夜間の散歩時に安全の為に光る首輪を付けたり、雨の日にはレインコートを着させて散歩する人も増えている。しかし、種類の豊富な首輪や犬ひもや洋服などに比べ、光る首輪は、飼い主が自分の趣味やセンスに合う好みの首輪を選択する豊富なデザインがなく、昼間と夜間の散歩において首輪を使い分けているのが現状になっている。このように、暗い所では光り、明るい所では地の模様で使用する環状帯は、例えば、リストバンドなど他の分野でも求められている。
【０００３】
【発明が解決しようとする課題】
従って、本発明は、暗い所で光り、明るい所では地の模様で使用可能な発光環状帯、及びこれを含む首輪を提供することを目的とする。
【０００４】
【課題を解決するための手段】
本発明は、環状の基材と、その表面に形成された透明発光層と、からなることを特徴とする発光環状帯である。また、本発明の発光環状帯を含むことを特徴とする首輪である。以下、本発明の首輪を中心として説明するが、これは、そのままリストバンド等の環状帯に転用可能である。本発明の環状帯は、昼間は、模様が首輪の表面部分に現れ、中途のつなぎ止める部分の係合部（例えば、バックル、ベルトバックルとベルト用の孔、面ファスナー（商品名：マジックテープ）ピンボタン、留め金とその金等）に従来の散歩ひもと接続することにより、ペットとの散歩が可能である。夜間は、備え付けの電源を入れることにより、ＬＥＤが発光して、光が環状帯を透過して鮮やかに輝く特性を持つ昼夜兼用に使用できる首輪である。飼い主は、ペットに自分の趣味やセンスに合った模様の首輪を選択ができる。昼間は、模様の付いた柄の首輪で散歩を楽しみ、夜間時の散歩においては、電源を利用した発光によって、環状帯を発光が透過して輝き、首輪が発光することで、周囲にペットの存在をアピールしながら散歩ができる。また、ペットの安全を喚起しながら散歩ができる昼夜兼用に使用することができる首輪である。本発明の首輪は、基材上に透明発光層と模様の付いた柄と係合部とを首輪状に形成したものである。例えば、首輪本体（基材）の上に模様の付いた柄を這わせ、その上に透明発光層を這わせる。首輪本体と模様の付いた柄と透明発光層の上を覆うように透明被覆層を被せ、一体化したものである。昼間は、透明被覆層と透明発光層の下地である、模様付きの柄が首輪の表面に現れる。夜間は、透明発光層の一端に光源のＬＥＤを取り付け、電源を供給して発光させるものである。それにより環状帯の表面全体が輝き、昼夜兼用のペット用首輪として利用できるようにしたものである。透明発光層としては、例えば特開２０００−１５４５２１号公報に記載の自己発光ロープをそのまま利用することができるが、同様の機能を有する層であればこれに限定されるものではない。
【０００５】
【発明の実施の形態】
例えばペットの首輪として、本発明を使用する。図１及び図２に示すように首輪本体（基材）１に、通常の散歩で首輪が使用できるように、係合部としてのバックル７が施され、これが係合されて環状となっている。また、首輪には、ロープが接続できるようにリング６も係合されている。首輪本体（基材）１の上に模様の付いた柄２と透明発光層３を這わせる。下地となる首輪に透明被覆層４を覆い被せ透明発光層３を一体化して形成する。光源となる電源部分５を首輪本体（基材）１に装着することで、昼夜兼用に使用できる首輪となる。
【０００６】
【発明の効果】
以上のように、本発明によれば、単純な構造でありながら飼い主の好みにあった模様の柄の首輪を選べ、また、夜間の散歩では、環状帯の発光によりペットの存在や位置を同時に、周囲に知らせ、注意を喚起することが容易になる。
【図面の簡単な説明】
【図１】模様の付いた柄の首輪と環状帯が形成した断面図である。
【図２】光る首輪の斜視図である。
【符号の説明】
１…首輪本体（基材）
２…模様の付いた柄
３…透明発光層
４…透明被覆層
５…電源部分
６…リング
７…バックル
【図１】
2004016221.tif 000003
【図２】
2004016221.tif 000004
(57)【要約】　　　（修正有）【課題】水中、水面で重さを感じることなく、自由に物をすくつことのできる、浮揚する網を提供する。【解決手段】水より軽い棹３と取替え自由な網２を持ち、棹３を介してハンドポンプ４からエアーを送って浮力を付けたり、その空気を抜いて沈めて底の物をすくいやすくした構成である。【選択図】図１
2004016229.tif 000002
【特許請求の範囲】
【請求項１】
ゴミや魚をすくう網を浮揚する枠に取付け、枠に空気を送ったり抜いたりして水面上又は水中の目的をすくいやすくした浮揚する網
【発明の詳細な説明】
【０００１】
【発明の属する技術分野】
この発明は、重さを感じる事なく自由に物を水中．水面ですくう事の出来る様にする技術に関するものである
【０００２】
【従来の技術】
従来は只、手で保持して手で操作しただけである
【０００３】
【発明が解決しようとする課題】
従来の様に手で持ってすくうのでは、近い所は良いが遠くなると重くなり自由がきかない。そこで網の枠に空気を送って、浮力をつけて浮かし軽くしすくいやすくし、又は空気の量を減らして少し沈め、浮いている物をすくいやすくすることも出来る。空気は手動のポンプで行ない、排気は排気弁の操作で行なうものである
【０００４】
網は底の深い物、浅い物と付け替えることが出来る
【０００５】
【発明が解決しようとするための手段】
網枠に空気が入る様にし、手元の手動ポンプで空気を送ったり排気弁で空気を逃がしたりし、網の位置を調節し水の中の物又は水面上の物をすくうものである
【０００６】
【発明の実施の形態】
円形の水より比重の軽いプラスチックによって形成された枠に網を取付け棹を介して手元の手動ポンプから空気を送り、浮かしたり沈めたりして水面上の物や水中の物をすくいやすくする
【０００７】
【実施例】
以下にこの発明の浮揚する網をを図面を参照に説明する
【０００８】
図１はこの発明の実施の一例の平面図である。
１は枠、２は網、３は棹、４は手動ポンプ、５は排気弁である
【０００９】
【発明の効果】
この発明により水面上の物がすくいやすくなり、又水中の物を浮力があるため軽くすくえる利点効果がある
【００１０】
【図面の簡単な説明】
【図１】この発明の平面図である
【図２】この発明の側面図である
【図３】この発明の正面図である
【００１１】
【符号の説明】
１．枠で比重の軽いプラスチック材
２．網
３．棹で網とポンプを結んでいる
４．空気を送る手動ポンプ
５．網を沈めるための排気弁である
【図１】
2004016229.tif 000003
【図２】
2004016229.tif 000004
【図３】
2004016229.tif 000005
(57)【要約】【目的】本発明は、柄の一端にゴキブリが逃げ込むための開口部を有する筒状形状物を設けた構造からなるゴキブリ捕獲器に関するものである。【構成】柄（１）の一端にゴキブリが逃げ込むための開口部（３）を有する筒状形状物（２）を設ける。【選択図】図１
2004016225.tif 000002
【特許請求の範囲】
【請求項１】
柄の一端に開口部を有する筒状形状物を設けた構造からなるゴキブリ捕獲器。
【発明の詳細な説明】
【０００１】
【産業上の利用分野】
本発明は、柄（１）の一端にゴキブリが逃げ込むための開口部（３）を有する筒状形状物（２）を設けた構造からなるゴキブリ捕獲器に関するものである。
【０００２】
【従来の技術】
従来、台所等でゴキブリを見つけた場合、棒等で叩き潰すか殺虫剤を噴射して退治していたが、前者の方法では潰されたゴキブリの体液等で床や壁面や卓上や畳が汚されて不衛生であったし、後者の方法では噴射液によって周辺が汚染されたり薬害等の危険性もありとりわけ食品の近くでは使用できない欠点があった。
【０００３】
【発明が解決しようとする課題】
本発明は、「身の危険を感じたゴキブリは狭く暗い場所に逃げ込む」というゴキブリの行動習性を利用し、ゴキブリがどのような場所にいようと上記の欠点をなんら懸念することなく安価で簡単かつ衛生的にゴキブリを捕獲し退治するものである。
【０００４】
【課題を解決するための手段】
本発明の最も実用的かつ効果的な形状・サイズについて図１に基づいて説明すると、柄（１）の長さは約５０センチ、筒状形状物（２）の内寸は約２０×６×２センチ、開口部（３）の間口は約６×２センチであるが、もとよりこれらの数値に多少の大小があったとしても、また筒状形状物（２）の形状および開口部（３）の間口の形状はその奥が閉鎖されていて中に狭く暗い中空空間を有しさえすれば必ずしも長方形型ではなくてもその他の異形形状型であっても、なんら実用性に支障は生じずいずれも本発明の趣旨に合致するものである。
【０００５】
【発明の使用方法と効果】
本発明の使用方法について説明すると、ゴキブリを見つけた場合、柄（１）を持ち開口部（３）がゴキブリの前方おおむね２０〜５０センチの位置となるように置き、棒等でゴキブリの後方をつついたり物音を立てて脅すとゴキブリは「身の危険を感じたゴキブリは狭く暗い場所に逃げ込む」というその行動習性に従い開口部（３）を通って「その奥が閉鎖されていて狭く暗い中空空間を有する筒状形状物（２）」の中に走り込み、かつ、いったんその狭く暗い筒内に逃げ込んだゴキブリはもはや容易には明るい外部へは出てこようとはしないので簡単かつ確実にこれを捕獲でき逃がすことはない。
なお、筒内に捕獲したゴキブリは開口部（３）を「この開口部（３）を塞ぎうる栓もしくは蓋」で塞ぎ筒状形状物（２）を激しく上下させるとその内壁に対する衝突の衝撃で足や羽根がもがれるので簡単に殺すことができ、栓もしくは蓋をとってその死骸を捨てれば、「ゴキブリ退治」という本発明の目的を短時間で簡単かつ衛生的に達成することができる。もとより他の殺虫方法としては、開口部（３）を栓もしくは蓋で塞ぎこれを放置して餓死・窒息死させたり、開口部（３）より内部に殺虫剤を噴射したり殺虫剤を置いたりして薬殺する方法によっても本発明の目的を達成することができるものである。
また、本発明品は極めて簡単な構造であり可動部分も消耗部品もなく反復使用が可能なのでいずれかの部分に外的衝撃による破損等が生じないかぎり半永久的に使用することができ、「ゴキブリ退治用品」としては利用コストを極めて安く抑えることができるものである。
【図面の簡単な説明】
【図１】本発明の斜視図。
【符号の説明】
１は柄。　２は筒状形状物。　３は開口部。
【図１】
2004016225.tif 000003
(57)【要約】【課題】人が死んで葬られるとき、信仰している宗教の作法に従い葬られたいものです。仏教では合掌と言われていますが、実際は葬儀社の方が手を組ませているようです。これは、一つには死後硬直のため、もう一つは葬儀社自身が知らないからです。本当の意味で、葬送の儀を知るべきです。この涅槃合掌具を使うことにより、真の仏教徒としての葬儀ができるのです。この道具一つで全ての宗教の葬儀・埋葬が可能になる。お別れに際しても、見苦しくなくお別れできる。【解決手段】肘が下がっていると手を合わせることができない。そこで、横板２に肘をのせて受け板３で止める。それにより手と手が無理なく合わせられる。その合わせた手を受け板６に収める。仏教徒としてのあたりまえの合掌が、この発明によってかなう。【選択図】　　　図１
2004016274.tif 000002
【特許請求の範囲】
【請求項１】
全体を木でつくり、十字の形になるように本体（１）を組む。
【請求項２】
十字の横板（２）の両端に、受け板（３）をつける。
【請求項３】
横板（２）に切り込み（４）を入れて、幅の調節ができるようする。
【請求項４】
十字の縦板（５）の上部に、受け板（６）をつける。
【請求項５】
縦板（５）に横板（２）を置き釘で固定する。
【請求項６】
本体を腹から胸に置き、横板（２）の受け板（３）に、肘があたるように合掌をする。合掌した手が縦板（５）の受け板（６）に入るようになる。
【発明の詳細な説明】
【０００１】
【発明の属する技術分野】
（イ）　全体を木でつくり、十字の形ように本体（１）を組む。
（ロ）　十字の横板（２）の両端に、受け板（３）をつける。
（ハ）　横板（２）に切り込み（４）を入れて、幅の調節ができるようする。
（ニ）　十字の縦板（５）の上部に、受け板（６）をつける。
（ホ）　縦板（５）に横板（２）を置き釘で固定する。
（ヘ）　本体を腹から胸に置き、横板（２）の受け板（３）に、肘があたるように合掌をする。合掌した手が縦板（５）の受け板（６）に入るようになる。この道具は、以上のような構造からできているために、体の大きい小さいによって十字の横板（２）、縦板（５）を変えることにより、体に合わせることができる。この発明は、宗教的にも意味のあることで、亡くなった方を弔うのに、この道具を使うことにより、肘が下がり合掌できなかったのが、受け板３で肘を止め受け板５に合わせた手のひらが入る、自然な合掌のかたちができるのである。
【０００２】
【従来の技術】
葬儀社の方は、ただ手を組ませて紐で結んだり、手を合わせてグルグル縛っています。本来仏教徒は、合掌をして仏と成ります。それが、合掌できないからということで、手を組ませている。
【０００３】
【発明が解決しようとする課題】
葬儀は、寺院が取り仕切るものだったそうだが、明治時代になってから、葬儀屋なるものが現れて、全てお任せするようになった。しかし、今の葬儀のやり方は間違えだらけである。本来の仏教徒としての葬儀を行うものである。
【０００４】
【課題を解決するための手段】
宗教・宗派に応じた涅槃のかたちがあろうが、わが国の既存仏教は合掌である。葬儀社が係わった段階で、装着すればよい。
【０００５】
【発明の実施の形態】
全国の仏教寺院を介して、全国の葬儀社に知らしめる。「仏のかたち」として。死後硬直がはじまるまでに、簡単に装着できる。火葬にしても支障はない。
【０００６】
【実施例】
死に場所がどこであっても、葬儀社が関与するなら、硬直前に装着処置がほどこされる。白衣を着せるときに装着。
【０００７】
【発明の効果】
本発明は、亡くなった人が仏教徒であれば、合掌。それ以外の場合でも対応できるのが、この発明の良いところである。道具は着物で隠され、掛け布でも隠される。仏教徒として相応しい「死のかたち」「仏のかたち」である。
【図面の簡単な説明】
【図１】涅槃合掌具を示した平面図である。
【図２】涅槃合掌具を示した下からの断面図である。
【図３】涅槃合掌具を示した横からの断面図である。
【図４】涅槃合掌具を装着した平面図である。
【図５】横板２の切り込み図である。
【図６】横板２の幅の調節、スライドをした図である。
【符号の説明】
１　本体
２　横板
３　横板の受け板
４　切り込み
５　縦板
６　縦板の受け板
７　釘
【図１】
2004016274.tif 000003
【図２】
2004016274.tif 000004
【図３】
2004016274.tif 000005
【図４】
2004016274.tif 000006
【図５】
2004016274.tif 000007
【図６】
2004016274.tif 000008
(57)【要約】【課題】水槽の水交換を簡単にし、常時きれいな水槽を保てることができる。【解決手段】水槽を二層にし、水中自動ポンプや手動ポンプから水を汲み上げることにより、水交換を簡単にする。【選択図】図１
2004016210.tif 000002
【特許請求の範囲】
【請求項１】
観賞魚の水槽を上下二層に仕切り上の部分は魚を飼育する飼育水槽にし、下の部分を飼育水槽の水が古くなった時に交換する水を保管する保管水槽部分にして水槽を造り、電動ポンプ・手動ポンプ等により、飼育層の古い水を簡単に交換することができる二層式水交換簡易水槽。
【発明の詳細な説明】
【０００１】
【発明の属する技術分野】
本発明は、観賞魚の水槽の水交換が簡単にできる水槽水入れ替え装置に関する。
【０００２】
【従来の技術】
従来は観賞魚の水槽に水道水を使用するため水道水には、消毒薬のカルキ剤が入っており、魚には適さないので、中和剤であるハイポ剤を入れて中和しなければならない。そのため、水槽の水を交換する際、飼育水槽とは別の器に水を用意し、ハイポ剤を入れて水を中和したり、熱帯魚については更に入れ替えする水の温度調整をしてから水交換をしていた。
【０００３】
【発明が解決しようとする課題】
本発明は、常時、交換水を常備しておくので簡単に水交換ができ、水交換のつど交換水を用意したり、温度調整をする手間を省き、水交換をする労力と時間を軽減させ、観賞魚の水槽の水環境を一定に保って飼育鑑賞することが出来る。
【０００４】
【課題を解決するための手段】
上記目的を達するために、観賞魚の水槽を二層に仕切り、上の部分を飼育水槽、下の部分を交換水を保管管理する水槽とし、飼育水の排水バルブを開くことにより、８０％〜９０％の飼育水を排水し、あらかじめ用意しておいた交換水を自動ポンプや手動ポンプ等により汲み上げる。更に温度調整については、上下両水槽に１つずつサーモスタットヒーターを設備し同じ温度で管理できるようにする。
これにより観賞魚を飼育鑑賞しながら交換水を準備保管することができるので、何時でも簡単に水交換ができて一定の環境で奇麗な水槽を保つことができる。
【０００５】
【発明の実施の形態】
まず、観賞魚水槽の上の部分を飼育水層（図１−２）、下の部分を交換水槽（図１−３）とする二層式の層に仕切って分ける。
飼育水槽には、
【図１】のように、飼育水排水口（図１−７）を設け、そこから飼育水排水パイプ（図１−４）を接続し、排水バルブ（図１−５）の開閉により排水の調整をする。
交換水槽には、飼育水槽まで送水パイプ（図３−１３）を接続し、水中自動ポンプや、手動ポンプ（図３−１２）を設ける。上部には、サーモスタット、エアーポンプ（図２−１１）、蛍光灯（図１−１）等を設備する。
【０００６】
【実施例】
【０００７】
【発明の効果】
本発明により、鑑賞魚の飼育をしながらにして交換水を準備保管ができ、飼育層の水を排水バルブの開閉で排水調整ができて、自動ポンプで保管水を補給できることにより、常時、簡単に水交換をすることができるので鑑賞魚の飼育環境を一定に保持することができると共に時間と労力を軽減できる。
【図面の簡単な説明】
【図１】本発明の正面を示す断面図である。
【図２】本発明の左側面を示す断面図である。
【図３】本発明の右側面を示す断面図である。
【図４】本発明の上部を示す断面図である。
【図５】本発明の全体を示す立面図である。
【符号の説明】
１　蛍光灯
２　飼育水槽
３　交換水槽
４　飼育水排水パイプ
５　飼育水排水バルブ
６　下部補強
７　飼育水排水口
８　飼育水と交換水の仕切り板
９　飼育水槽上下のカザリ
１０　飼育水排水バルブ室
１１　エアーポンプ、サーモスタット置場所
１２　水中ポンプ
１３　交換水の送水パイプ
１４　交換水排出口
１５　水道水吸入口
１６　交換水の満水メーター
１７　エサ入れ穴
【図１】
2004016210.tif 000003
【図２】
2004016210.tif 000004
【図３】
2004016210.tif 000005
【図４】
2004016210.tif 000006
【図５】
2004016210.tif 000007